(57)【要約】フリップチップ実装に好適なエリアアレーバンプ電極を有す半導体装置である。ワイヤボンディング用の電極を周縁に沿って配列した半導体チップを用意した後、前記電極上に金ワイヤバンプ電極を形成し、その後半導体チップに配線テープ基板を重ねて接着材で固定する。配線テープ基板は裏面に前記電極に対応して配線の接続部が対応し、かつ接着材による接着時、半導体チップの各電極上に設けられた前記金ワイヤバンプ電極の先端の凸部によって接着材を突き抜けて金ワイヤバンプ電極と接続部を電気的に接続させる構成になっている。配線テープ基板の表面にはエリアアレーバンプ電極が設けられている。エリアアレーバンプ電極のピッチは半導体チップの電極のピッチよりも大きくなっている。
2003012863.tif 000002
【特許請求の範囲】
【請求項１】
主面と、前記主面上に形成された複数の半導体素子、及び複数の電極を有する半導体チップと、
前記半導体チップの各電極上に形成された金突起電極と、
主面及び裏面を有する絶縁基材層と、前記絶縁基材層の主面上に形成された複数の配線と、前記絶縁基材層に形成された貫通孔とを有する配線基板と、
前記配線基板の主面上に、それぞれ各複数の配線に接続して形成された複数の半田突起電極とを有する半導体装置において、
前記配線基板は、前記絶縁基材層の裏面を前記半導体チップの主面に対向させて配置されており、
前記絶縁基材層の裏面と前記半導体チップの主面は、接着材を介して接着されており、
前記金突起電極のそれぞれは、前記貫通孔の内部で前記配線基板の配線と接続しており、
前記複数の半田突起電極は、前記半導体チップの電極の最小ピッチよりも大きなピッチで複数行、列によって構成される格子状に配列されており、
前記半田突起電極のそれぞれは、前記半導体チップの主面上に、前記接着材と前記絶縁基材層を介して配置されていることを特徴とする半導体装置。
【請求項２】
前記絶縁基材層厚さと前記接着材の厚さの和は５０〜１００μｍであることを特徴とする請求の範囲第１項記載の半導体装置。
【請求項３】
前記絶縁基材層の厚さは前記接着材の厚さよりも厚くなっていることを特徴とする請求の範囲第１項記載の半導体装置。
【請求項４】
前記接着材の厚さは５０μｍ以下となっていることを特徴とする請求の範囲第２項記載の半導体装置。
【請求項５】
前記絶縁基材層の主面上には、前記配線の一部を覆う絶縁膜が形成されており、前記絶縁基材層の厚さは前記絶縁膜の厚さよりも厚くなっていることを特徴とする請求の範囲第１項記載の半導体装置。
【請求項６】
前記複数の配線は、銅膜と、前記銅膜の表面に形成されたＳｎメッキ膜またはＮｉ−Ａｕメッキ膜によって構成されていることを特徴とする請求の範囲第１項記載の半導体装置。
【請求項７】
前記接着材は熱硬化性樹脂であることを特徴とする請求の範囲第１項記載の半導体装置。
【請求項８】
前記半導体チップの電極は、前記半導体チップ主面の周囲に沿って配列されていることを特徴とする請求の範囲第１項記載の半導体装置。
【請求項９】
前記半導体チップの電極は、入出力回路用素子が形成された領域に沿って配列されていることを特徴とする請求の範囲第１項記載の半導体装置。
【請求項１０】
前記半田突起電極は、前記金突起電極が配置された領域とは外れた領域に配置されていることを特徴とする請求の範囲第１項記載の半導体装置。
【請求項１１】
前記金突起電極の弾性率は、前記絶縁基材層の弾性率および前記接着材の弾性率よりも大きいことを特徴とする請求の範囲第１項記載の半導体装置。
【請求項１２】
前記絶縁基材層は、可撓性膜によって構成されることを特徴とする請求の範囲第１項記載の半導体装置。
【請求項１３】
前記可撓性膜は、ポリイミド系樹脂によって形成されていることを特徴とする請求の範囲第１項記載の半導体装置。
【請求項１４】
主面と、前記主面上に形成された複数の半導体素子、及び複数の電極を有する半導体チップを準備する工程と、
主面及び裏面を有する絶縁基材層と、前記絶縁基材層の主面上に形成された複数の配線と、前記絶縁基材層に形成された貫通孔とを有する配線基板を準備する工程と、
前記半導体チップの各電極上に金突起電極を形成する工程と、
前記絶縁基材層の裏面と前記半導体チップの主面との間に接着材を介して、前記配線基板を前記半導体チップの主面上に配置する工程と、
前記配線基板を配置する工程の後に、前記配線基板に圧力を加えて前記金突起電極と前記配線とを前記貫通孔の内部で接触させ、かつ前記接着材に熱を加えて硬化させる工程と、
前記配線基板の主面上に、複数の半田突起電極を、各複数の配線に接続して形成する工程とを有しており、
前記複数の半田突起電極は、前記半導体チップの電極の最小ピッチよりも大きなピッチで複数行、列によって構成される格子状に配列され、
前記半田突起電極のそれぞれは、前記半導体チップの主面上に、前記接着材と前記絶縁基材層を介して配置されることを特徴とする半導体装置の製造方法。
【請求項１５】
前記接着材は熱硬化性樹脂であることを特徴とする請求の範囲第１４項記載の半導体装置。
【請求項１６】
前記金突起電極の弾性率は、前記絶縁基材層の弾性率および前記接着材の弾性率よりも大きいことを特徴とする請求の範囲第１４項記載の半導体装置。
【請求項１７】
前記配線基板の少なくとも一つの半田突起電極は前記半導体素子の複数の前記電極と電気的に接続されて共通電極になっていることを特徴とする請求の範囲第１項記載の半導体装置。
【請求項１８】
前記半田突起電極の数は前記半導体素子の前記電極の数よりも少数であることを特徴とする請求の範囲第１７項記載の半導体装置。
【請求項１９】
複数の半導体装置形成部を有する配線テープ基板を準備し、その一部の半導体装置形成部の一面に熱硬化性接着材を介在させて半導体チップを加圧加熱して搭載することを特徴とする半導体装置の製造方法。
【請求項２０】
前記配線テープ基板の一部の半導体装置形成部の一面に前記半導体チップを搭載した後、前記半導体装置形成部の他の一面の配線に金属ボールを取り付けてボール電極を形成することを特徴とする請求の範囲第１９項記載の半導体装置の製造方法。
【請求項２１】
前記配線テープ基板における前記半導体装置形成部は、主面及び裏面を有する絶縁基材層と、前記絶縁基材層の主面上に形成された複数の配線と、前記絶縁基材層に形成されその底に前記配線を位置させる貫通孔とを有する構成とし、
前記半導体チップは、主面と、前記主面上に形成された複数の半導体素子、及び複数の電極を有し、前記各電極上には金突起電極を有する構成とし、
前記半導体チップの加圧加熱搭載においては、前記金突起電極の先端を前記熱硬化性接着材に突き抜けさせて前記配線テープ基板の貫通孔底の配線に圧着固定させることを特徴とする請求の範囲第１９項記載の半導体装置の製造方法。
【請求項２２】
前記配線テープ基板における前記半導体装置形成部は、主面及び裏面を有する絶縁基材層と、前記絶縁基材層の主面上に形成された複数の配線と、前記絶縁基材層に形成されその底に前記配線を位置させる貫通孔とを有する構成とし、
前記半導体チップは、主面と、前記主面上に形成された複数の半導体素子、及び複数の電極を有し、前記各電極上には金突起電極を有する構成とし、
前記ボール電極形成においては、前記配線テープ基板の主面の配線に前記金属ボールを接続することを特徴とする請求の範囲第１９項記載の半導体装置の製造方法。
【請求項２３】
前記配線テープ基板をリールから解き出し、前記半導体装置形成部の組み立て加工を行った後、巻き取りリールに巻き取ることを特徴とする請求の範囲第１９項記載の半導体装置。
【請求項２４】
主面に複数の接続用電極を有し、裏面に複数の外部電極端子を有し、前記所定の外部電極端子と前記所定の接続用電極が内部を貫通する導体で電気的に接続されてなる絶縁性のモジュール基板と、
前記モジュール基板の主面に搭載される一つ以上の半導体装置と、
少なくとも一つの前記半導体装置上に搭載され、露出する主面に複数の電極を有する半導体素子と、
前記半導体素子の所定の電極と前記モジュール基板の主面の所定の接続用電極は導電性のワイヤで接続され、
前記モジュール基板の主面の前記ワイヤが接続される複数の前記接続用電極は前記半導体素子の主面に設けられる複数の電極の最小ピッチよりも大きなピッチになり、
前記半導体装置は、
主面と、前記主面上に形成された複数の半導体素子、及び複数の電極を有する半導体チップと、
前記半導体チップの各電極上に形成された金突起電極と、
主面及び裏面を有する絶縁基材層と、前記絶縁基材層の主面上に形成された複数の配線と、前記絶縁基材層に形成された貫通孔とを有する配線基板と、
前記配線基板の主面上に、それぞれ各複数の配線に接続して形成された複数の半田突起電極とを有し、
前記配線基板は、前記絶縁基材層の裏面を前記半導体チップの主面に対向させて配置されており、
前記絶縁基材層の裏面と前記半導体チップの主面は、接着材を介して接着されており、
前記金突起電極のそれぞれは、前記貫通孔の内部で前記配線基板の配線と接続しており、
前記複数の半田突起電極は、前記半導体チップの電極の最小ピッチよりも大きなピッチで複数行、列によって構成される格子状に配列されており、
前記半田突起電極のそれぞれは、前記半導体チップの主面上に、前記接着材と前記絶縁基材層を介して配置されている構成になり、
前記半田突起電極は前記モジュール基板の主面の接続用電極に接続されていることを特徴とする半導体モジュール。
【請求項２５】
前記半導体装置の前記絶縁基材層厚さと前記接着材の厚さの和は５０〜１００μｍであることを特徴とする請求の範囲第２４項記載の半導体モジュール。
【請求項２６】
前記半導体装置の前記絶縁基材層の厚さは前記接着材の厚さよりも厚くなっていることを特徴とする請求の範囲第２４項記載の半導体装置。
【請求項２７】
前記半導体装置の前記接着材の厚さは５０μｍ以下となっていることを特徴とする請求の範囲第２４項記載の半導体モジュール。
【請求項２８】
前記半導体装置の前記絶縁基材層の主面上には、前記配線の一部を覆う絶縁膜が形成されており、前記絶縁基材層の厚さは前記絶縁膜の厚さよりも厚くなっていることを特徴とする請求の範囲第２４項記載の半導体装置。
【請求項２９】
前記半導体装置の前記金突起電極の弾性率は、前記絶縁基材層の弾性率および前記接着材の弾性率よりも大きいことを特徴とする請求の範囲第２４項記載の半導体モジュール。
【発明の詳細な説明】
技術分野
本発明は半導体装置及びその製造方法に係わり、特にワイヤボンディング用の電極を表面に有する半導体チップを、フリップチップ実装が可能なエリアアレーバンプ電極を有する半導体装置に転換できる技術に関する。
背景技術
近年、半導体装置を組み込んだ電子装置においては、高速度化、高機能化、高密度実装化が図られるとともに薄型化、軽量化が進められている。特に高速度化及び薄型化にはＬＳＩ等を組み込んだ半導体チップ（半導体素子）のフリップチップ実装が有効である。
フリップチップ実装するには大別すると下記のように２種類の手法が知られている。（１）半導体チップの周辺電極（例えば、アルミニウム）に金スタッドバンプをワイヤボンディング法により形成し、その後ＡＣＦ（Ａｎｉｓｏｔｒｏｐｉｃ  Ｃｏｎｄｕｃｔｉｖｅ  Ｆｉｌｍ）やＮＣＦ（Ｎｏｎ  Ｃｏｎｄｕｃｔｉｖｅ  Ｆｉｌｍ）等の熱硬化性樹脂を介して実装基板に金スタッドバンプ（金突起電極）を接着したり、あるいは半田を用いて金スタッドバンプと実装基板の配線（リード）を接続し、その後絶縁性樹脂で封止する。
（２）半導体チップの製造におけるウエハ状態で成膜／パターニングの工程を繰り返すことで半導体チップの周辺電極と、格子状に配置された半田電極用ランドとの間を接続する再配線層を形成し、前記半田電極用ランド上に半田バンプ電極を形成するＷＰＰ（Ｗａｆｅｒ  Ｐｒｏｃｅｓｓ  Ｐａｃｋａｇｅ法）を適用し、各チップに分割した後、前記半田バンプ電極を介して基板と接続する。
前記のフリップチップ実装する手法では、下記のような問題が生じる。半導体チップの周辺電極は、配線長の増大に伴う信号遅延を防ぐために、半導体チップの入出力回路用素子が形成された領域に沿って配列されるため、一般的に半導体チップの主面上の狭い領域に小さな間隔（ピッチ）で配列される。従って半導体チップの周辺電極上に直接バンプ電極を形成する上記（１）の方法では形成されるバンプ電極のピッチが小さくなり、それに合わせて実装基板としては通常よりも高価なビルドアップタイプのものを用いなければならなかった。
また、（２）の方法は再配線層を形成することによって、半田電極用ランドを半導体チップの主面上の広い領域に複数行／列の格子状に配列することが可能となるため、半田バンプ電極の間隔も広くなるが、ウエハ状態で不良チップも含めて工程を適用するためにコストが高くなることや、前記ＷＰＰ法によって実装基板と半導体チップの間に生じる熱応力を緩和する機構を形成することが困難であるなどの問題があった。
半導体装置が実装される実装基板は一般にセラミック基板、プリント基板が用いられている。これらの実装基板の半導体装置と接続する電極のピッチはおよそ１３０μｍ〜１６０μｍであり、半導体チップ側の周辺電極のピッチ８０μｍ〜１００μｍを直接フリップチップとして接続することはできない。
そこで、一般にプリント基板では、従来のラミネート法に替わってより微細な電極を形成できるビルドアップ法が用いられるようになってきた。
ところが、このビルドアップ法による基板は、その製造方法がラミネート法よりも複雑でおよそ１．７〜２倍と高価である。
そこで、本発明者は、ＷＰＰ法を用いずに、半導体チップ側の電極を周辺電極から半導体ウエハの主面上の領域に複数行／列によって構成される格子状に配列したエリアアレーバンプ電極にして、電極ピッチを拡大することで、安価なラミネート法によるプリント基板を用いることを検討し、本発明をなした。
特開２０００−５８５９４号公報には、基板実装用の複数のはんだボールを有するバンプ用基板であるテープ上に半導体チップを接着材を介して搭載した構造を有する半導体装置において、テープのはんだボールを形成した表面から溝を設け、この溝によって応力を分散させる構造が開示されている。
本発明の目的は、フリップチップ実装に好適なエリアアレーバンプ電極を有する半導体装置及びその製造方法を提供することにある。
本発明の他の目的は、フリップチップ実装に好適なエリアアレーバンプ電極を有する半導体装置を安価に提供することにある。
本発明の他の目的は、格子状に配置したバンプ電極と、半導体チップとの間に応力緩和構造を有する半導体装置及びその製造方法を提供することにある。
本発明の前記ならびにそのほかの目的と新規な特徴は、本明細書の記述および添付図面からあきらかになるであろう。
発明の開示
本願において開示される発明のうち代表的なものの概要を簡単に説明すれば、下記のとおりである。
（１）主面と、前記主面上に形成された複数の半導体素子、及び複数の電極を有する半導体チップと、
前記半導体チップの各電極上に形成された金突起電極（金ワイヤバンプ電極）と、
主面及び裏面を有する絶縁基材層（テープ基材）と、前記絶縁基材層の主面上に形成された複数の配線と、前記絶縁基材層に形成された貫通孔とを有する配線基板（配線テープ基板）と、
前記配線基板の主面上に、それぞれ各複数の配線に接続して形成された複数の半田突起電極（エリアアレーバンプ電極）とを有する半導体装置において、
前記配線基板は、前記絶縁基材層の裏面を前記半導体チップの主面に対向させて配置されており、
前記絶縁基材層の裏面と前記半導体チップの主面は、接着材（熱硬化性樹脂）を介して接着されており、
前記金突起電極のそれぞれは、前記貫通孔の内部で前記配線基板の配線と接続しており、
前記複数の半田突起電極は、前記半導体チップの電極の最小ピッチよりも大きなピッチで複数行、列によって構成される格子状に配列されており、
前記半田突起電極のそれぞれは、前記半導体チップの主面上に、前記接着材と前記絶縁基材層を介して配置されている。
前記絶縁基材層厚さと前記接着材の厚さの和は５０〜１００μｍであり、前記絶縁基材層の厚さは前記接着材の厚さ（５０μｍ以下）よりも厚くなっている。前記複数の配線は、銅膜と、前記銅膜の表面に形成されたＳｎメッキ膜またはＮｉ−Ａｕメッキ膜によって構成されている。前記半導体チップの電極は、前記半導体チップ主面の周囲に沿って配列されている。前記半導体チップの電極は、入出力回路用素子が形成された領域に沿って配列されている。前記半田突起電極は、前記金突起電極が配置された領域とは外れた領域に配置されている。前記金突起電極の弾性率は、前記絶縁基材層の弾性率および前記接着材の弾性率よりも大きい。前記絶縁基材層は、可撓性膜（ポリイミド系樹脂）によって構成されている。
このような半導体装置は以下の方法によって製造される。即ち、
主面と、前記主面上に形成された複数の半導体素子、及び複数の電極を有する半導体チップを準備する工程と、
主面及び裏面を有する絶縁基材層と、前記絶縁基材層の主面上に形成された複数の配線と、前記絶縁基材層に形成された貫通孔とを有する配線基板を準備する工程と、
前記半導体チップの各電極上に金突起電極を形成する工程と、
前記絶縁基材層の裏面と前記半導体チップの主面との間に接着材（熱硬化性樹脂）を介して、前記配線基板を前記半導体チップの主面上に配置する工程と、
前記配線基板を配置する工程の後に、前記配線基板に圧力を加えて前記金突起電極と前記配線とを前記貫通孔の内部で接触させ、かつ前記接着材に熱を加えて硬化させる工程と、
前記配線基板の主面上に、複数の半田突起電極を、各複数の配線に接続して形成する工程とを有しており、
前記複数の半田突起電極は、前記半導体チップの電極の最小ピッチよりも大きなピッチで複数行、列によって構成される格子状に配列され、
前記半田突起電極のそれぞれは、前記半導体チップの主面上に、前記接着材と前記絶縁基材層を介して配置される。
前記（１）の手段によれば、（ａ）ワイヤボンディング用電極を周縁に沿って配置した半導体チップを配線基板を用いて前記電極のピッチよりもピッチが大きい半田バンプ電極とすることができるため、電気特性を向上させることができる。即ち、特に高速信号処理化に不可欠なインダクタンスをワイヤボンディング法の１〜１．５ｎＨをおよそ０．１ｎＨに低減することができる。
（ｂ）ワイヤボンディング用の電極をこの電極のピッチよりも広くかつ大きい半田突起電極とすることにより、半導体装置の実装時の接続信頼性を高めることができる。
（ｃ）半田突起電極が設けられる配線基板は半導体チップと同じ大きさでかつ半導体チップに一致して重なる構造となることから半導体装置の小型化が図れる。
（ｄ）半田突起電極は、金突起電極が配置された領域とは外れた領域に配置され、また。前記金突起電極の弾性率は、前記絶縁基材層の弾性率および前記接着材の弾性率よりも大きくなっている。従って、半田突起電極が、金突起電極と比較して弾性率の小さい絶縁基材層や硬化後の接着材を介して、半導体チップの主面上に配置されることにより、実装基板に実装された際に、半導体チップと実装基板との熱膨張係数差によって生じる熱応力を、絶縁基材層や接着材によって緩和させることができる。
（ｅ）半導体チップの主面上に配置される半田突起電極と半導体チップとの間には、弾性率の低い有機樹脂によって形成される層が、５０〜１００μｍまたはそれ以上の厚さで形成されていることから、実装基板と半導体チップの間に生じる熱応力が緩和される。
（ｆ）ＡＣＦやＮＣＦなどの熱硬化性樹脂によって形成される接着材の層の厚さを、５０μｍ以上形成しようとすると、熱硬化工程において生じる厚さの部分的なばらつきによって、その上に形成される半田突起電極の平坦度が低下するという問題を生じる。しかし、本発明によれば、接着材の層の厚さは５０μｍ以下に抑えつつ、半田突起電極と半導体チップとの間に絶縁基材層を配置することによって、半田突起電極と半導体チップとの間の有機樹脂の層の厚さを稼ぐことができ、この結果、半田突起電極の平坦度低下を抑止することができる。
（ｇ）絶縁基材層は可撓性樹脂膜によって形成されかつその厚さも３０〜１００μｍ程度となっていることから、半導体装置を実装基板に実装した後の応力が緩和され、実装の信頼性が高くなる。
発明を実施するための最良の形態
以下、図面を参照して本発明の実施の形態を詳細に説明する。なお、発明の実施の形態を説明するための全図において、同一機能を有するものは同一符号を付け、その繰り返しの説明は省略する。
（実施形態１）
図１乃至図１４は本発明の一実施形態（実施形態１）である半導体装置に係わる図である。図１は半導体装置を示す模式的断面図、図２は半導体装置の平面図、図３は半導体装置の裏面図、図４はエリアアレーバンプ電極と半導体チップの電極との結線状態を示す半導体装置の模式的平面図である。
本実施形態１の半導体装置１は、図１に示すように、半導体チップ２の主面（図１では上面）に配線基板（配線テープ基板）３が接着材４を介して重ねて接着された構造となり、配線テープ基板３の露出する面（図１では上面）に半田突起電極（エリアアレーバンプ電極）５が設けられた構造になっている。
図１ではエリアアレーバンプ電極５を２個配線テープ基板３の構造をも明確にするために拡大しかつ模式的に示してある。エリアアレーバンプ電極５の配列状態は、具体的には図２のように縦横に格子状に配列されている。以下の説明において、製造方法等一部においてはエリアアレーバンプ電極５が２個の状態でも説明することにする。
半導体チップ２は、ウエハプロセスが完了した直径が大きな半導体基板（ウエハ）を縦横に切断して得られるチップであり、図３，図５に示すように四角形状の半導体基板（例えば、シリコン基板）２ａを主体として形成され、図示しないＬＳＩ等の回路が形成されている。半導体基板２ａの主面には、回路の外部端子となる電極（ボンディングパッド）６が図示しない入出力用回路が形成された領域に沿って一列に配列されて形成されている（図５参照）。
本実施形態１では、前記電極６は、例えば半導体基板２ａ（半導体チップ２）の周縁に沿って配置され、いわゆる周辺電極配列となっている。この電極部分を除く半導体基板２ａの主面は絶縁膜（パッシベーション膜）７で被われている（図１参照）。電極（ボンディングパッド）６は、ワイヤが接続される端子であり、アルミニウムまたはアルミニウム合金の薄膜で形成され、大きさは６０〜９０μｍ程度の四角形であり、最小ピッチａ（図５参照）は７０〜１００μｍ程度である。また、半導体チップ２の裏面は図３に示すように、平坦なシリコン面となっている。このシリコン面は半導体装置１の外壁面ともなる。
配線テープ基板３は、図６乃至図８に示すような構造となっている。図６は配線テープ基板の平面図、図７は配線テープ基板の模式的断面図、図８は配線テープ基板の裏面図である。
本実施形態１では、図７に示すように、配線テープ基板（配線基板）３は半導体チップ２と一致して重なるため、半導体チップ２と同じ寸法形状となる四角形になっている。配線テープ基板３は、半導体チップ２と同じ四角形状の有機樹脂材料からなる絶縁基材層（テープ基材）１０と、このテープ基材１０の表面に形成される配線１１と、テープ基材１０の表面を被うとともに前記配線１１を選択的に被う絶縁膜（ソルダレジスト）１２（図６にて斜線で示される領域）とからなっている。
ソルダレジスト１２が設けられない領域、即ち開口部１３は、例えば、図６に示すように円形領域となり、配線１１の一部である接続部が露出する領域となる。この接続部には、後述するが半田突起電極（エリアアレーバンプ電極）５が形成される。この開口部１３は、図６に示すように縦横に格子状に整列配置されている。この開口部１３のピッチ、即ちエリアアレーバンプ電極のピッチｂは、図５に示す半導体チップ２の電極６のピッチａに比較して大きくなっている。例えば、ａは８０〜１００μｍ程度であり、ｂは１５０〜５００μｍ程度である。このように半導体チップ２の電極６のピッチよりもエリアアレーバンプ電極５のピッチを大きくすることによって実装性能が良好なフリップチップ実装が可能になる。
また、図８に示すように、テープ基材１０の裏面には縁（辺）に沿って貫通孔（開口溝）１４が設けられている。この開口溝１４は、半導体チップ２の各電極６に対応し、配線テープ基板３を半導体チップ２に重ね合わせた際、開口溝１４内に各電極６が対応して位置するようになっている。
テープ基材１０の表面に設けた配線１１の各外端部分は、開口溝１４を横切るように延在して露出した接続部を形成している。この接続部は半導体チップ２に配線テープ基板３を重ね合わせた際、開口溝１４部分に露出する配線１１の接続部が半導体チップ２の電極６にそれぞれ対面するようになる。
図８では、配線１１の外端部分の接続部は模式的に矩形状で示してある。また、図４の模式図に示すように、最終的には所定の電極６と所定のエリアアレーバンプ電極５は所定の配線１１によって電気的に接続されることになる。図４は半導体チップ２の電極６とエリアアレーバンプ電極５との結線状態を示す半導体装置の模式的平面図である。
エリアアレーバンプ電極５は半導体チップ２の電極６上から外れた位置に設けられるように開口部１３の位置は選択されている。これは、エリアアレーバンプ電極が、金ワイヤバンプ電極と比較して弾性率の小さいテープ基材１０や硬化後の接着材４を介して、半導体チップ２の主面上に配置されることにより、実装基板３０に実装された際に、半導体チップ２と実装基板３０との熱膨張係数差によって生じる熱応力を、テープ基材１０や接着材４によって緩和させることができるためである。なお、後述するが、電極６は金ワイヤバンプ電極を介して配線１１の接続部に接続される。
また、図７に示すように、開口溝１４の底に露出する配線１１の接続部及び開口部１３の底に露出する配線１１の接続部の表面には、メッキ膜１５，１６が設けられている。
テープ基材１０は、エポキシ樹脂，アラミド樹脂，ポリイミド樹脂等を用いた可撓性樹脂膜によって形成されており、テープ基材１０の厚さは半導体装置１を実装基板に実装した後の応力緩和の観点からおよそ３０〜１００μｍ程度が望ましい。また、配線１１は通常配線材料として用いられるテープ基材に貼りつけた銅箔を所定パターンにエッチングすることによって形成する。配線１１において開口溝１４や開口部１３の底に露出する配線部分は電極として使用するが、この電極部分は金属の接触抵抗低減、半田の反応性促進のためにニッケル，金等を被着することが望ましく、前述のようにメッキ膜１５，１６を設ける。これらメッキ膜１５，１６は、例えば、Ｓｎメッキ膜やＮｉ−Ａｕメッキ膜で形成する。
テープ基材１０の厚さはソルダレジスト１２の厚さよりも厚くなり、ソルダレジスト１２の硬化収縮等によっても反り返りが発生しないようになっている。例えば、テープ基材１０の厚さが２０〜１００μｍ程度であるとき、ソルダレジスト１２の厚さは２０〜５０μｍ程度である。
半導体チップ２の電極６の上に金ワイヤバンプ電極２０が固定されているとともに、この金ワイヤバンプ電極２０の先端は配線１１の接続部に接続されている。金ワイヤバンプ電極２０の先端は接続部のメッキ膜１５と電気的に接続されている。また、配線テープ基板３の開口部１３にはそれぞれエリアアレーバンプ電極５が固定されている。
つぎに、図９乃至図１３を参照しながら本実施形態１の半導体装置１の製造について説明する。図９に示すように、半導体チップ２の電極６上に金ワイヤバンプ電極２０を形成する。特に図示しないが、常用のワイヤボンディング装置のボンディングツールに保持される金線（例えば、直径２０〜３０μｍ）の先端を放電トーチ等によって溶かしてボール（例えば、直径５０〜８０μｍ）を形成し、その後ボンディングツールで半導体チップ２の電極６上に潰し固定する。その後、ワイヤを引っ張ることによってボンディング部分でワイヤを切断させ、図９に示すような金ワイヤバンプ電極（金スタッドバンプ）２０を形成する。切断は引っ張りによるため金ワイヤバンプ電極２０の先端の直径は、金線の直径よりも小さくなる。電極６に固定されたボール状部分の直径は６０〜９０μｍ程度となり、高さは７０μｍ程度となる。本実施形態１では、後述するように尖った部分（凸部）を配線１１の接続部との接続に利用する。
つぎに、図１０に示すように、半導体チップ２の金ワイヤバンプ電極２０を設けた面上に、半導体チップ２と略同じ大きさの半固形の接着材４、及び配線テープ基板３を重ねる。図１０は相互に重なる半導体チップ２，接着材４及び配線テープ基板３を見やすいように分離させて示した図である。
これら半導体チップ２，接着材４，配線テープ基板３を、図１１に示すように、加熱・加圧装置の下型２５と、上型２６との間に位置決めして挟み、所定の温度及び圧力で加熱，加圧して金ワイヤバンプ電極２０と配線テープ基板３の開口溝１４の底に露出する配線１１の接続部とを電気的に接続するとともに、接着材４を熱硬化させて配線テープ基板３を半導体チップ２に固定する（図１２参照）。
前記接着材４には、一例として絶縁性の熱硬化性樹脂を使用する。この接着においては、半導体チップ２の各電極６上に設けた金ワイヤバンプ電極２０の先端の凸部によって接着材４を突き抜けさせて金ワイヤバンプ電極２０と配線テープ基板３の配線１１の接続部を電気的に接続させる。配線テープ基板３の開口溝１４の底に露出する配線１１の接続部はその表面にＳｎメッキ膜またはＮｉ−Ａｕメッキ膜が設けられていることから、金ワイヤバンプ電極２０と接続部の接合はＡｕ−Ｓｎ接合（Ａｕ−Ｓｎ合金）またはＡｕ−Ａｕ接触となる。
また、接着材４としては、市販のＮＣＦ（Ｎｏｎ  Ｃｏｎｄｕｃｔｉｖｅ  Ｆｉｌｍ）やＡＣＦ（Ａｎｉｓｏｔｒｏｐｉｃ  Ｃｏｎｄｕｃｔｉｖｅ  Ｆｉｌｍ）も使用できる。ＡＣＦを用いた場合はＡＣＦ中の導電粒子を介在させて金ワイヤバンプ電極２０と配線テープ基板３の開口溝１４の底の配線１１の接続部を電気的に接続する。
つぎに、図１３に示すように、配線テープ基板３の開口部１３の底に露出する配線１１の接続部上にエリアアレーバンプ電極５を固定する。前記接続部の表面にはＳｎメッキ膜またはＮｉ−Ａｕメッキ膜で構成されるメッキ膜１６が設けられている。エリアアレーバンプ電極５を形成するため、Ｐｂ−Ｓｎ共晶半田あるいはＰｂフリー半田等で形成される半田ボールを開口部１３に供給し、加熱リフローによってエリアアレーバンプ電極５を形成する。例えば、直径４００μｍの半田ボールを開口部１３に供給して、直径４５０μｍ，高さ４００μｍのエリアアレーバンプ電極５を形成する。
実装基板と半導体チップの間に生じる熱応力緩和の観点から、半導体チップの主面上に配置される半田突起電極５と半導体チップ２との間には、弾性率の低い有機樹脂によって形成される層が、５０〜１００μｍまたはそれ以上の厚さで形成されることが好ましい。しかし、ＡＣＦやＮＣＦなどの熱硬化性樹脂によって形成される接着材４の層の厚さを、５０μｍ以上形成しようとすると、熱硬化工程において生じる厚さの部分的なばらつきによって、その上に形成される半田突起電極５の平坦度が低下するという問題を生じる。
前記の平坦度低下の問題は、半導体チップの実装時に熱と共に圧力を加える本実施形態にあるような製造方法を採用する半導体装置においては、より顕著に現れる問題である。
このような問題を解決するためには、接着材４の層の厚さは５０μｍ以下に抑えつつ、半田突起電極５と半導体チップ２との間にテープ基材１０を配置することによって、半田突起電極５と半導体チップ２との間の有機樹脂の層の厚さを稼ぐことが有効である。
半田突起電極５と半導体チップ２との間にテープ基材１０を配置する構成としては、テープ基材１０の両面に配線を有する配線テープ基板３を準備して、その表面側の配線上に半田突起電極５を形成し、その裏面側の配線と半導体チップ２の金突起電極２０とを接続するように形成することも可能であるが、テープ基材１０の両面に配線を有する配線テープ基板３は、テープ基材１０の片面のみに配線を有する配線テープ基板３に比較して非常に高価である。
そこで、本実施形態にあるように、テープ基材１０の片面のみに配線を有する安価な配線テープ基板３を用いる場合は、テープ基材１０の配線が形成された主面と反対側の裏面を半導体チップに対向させ、テープ基材に形成した開口溝（貫通孔）１４の内部で金突起電極２０と配線とを接続させることによって、半田突起電極５と半導体チップ２との間にテープ基材１０を配置する構成を形成することができる。
本実施形態１では配線テープ基板３に単一の半導体チップ２を取り付けたが、配線テープ基板３の配線パターンの変更によってさらに多数の半導体チップ２を取り付けてＭＣＭ構造にもできる。
このような半導体装置１は、図１４に示すように所定の電子装置の実装基板に搭載される。図１４は電子装置の一部を示す模式的断面図である。実装基板３０上には、本実施形態１による半導体装置１と、他のパッケージ構造の半導体装置、即ち、ＱＦＰ（Ｑｕａｄ  Ｆｌａｔ  Ｐａｃｋａｇｅ）３１，ＢＧＡ（Ｂａｌｌ  Ｇｒｉｄ  Ａｒｒａｙ）３２，ＣＳＰ（Ｃｈｉｐ  Ｓｉｚｅ  Ｐａｃｋａｇｅ）３３が搭載されている。図には示してないが、当然にして実装基板３０には抵抗，コンデンサ，コネクタ等他の電子部品も搭載される。
本実施形態１によれば以下の効果を有する。
（１）ベアーチップとして入手できる、ワイヤボンディング用電極６を周縁に沿って配置した半導体チップ２を、配線テープ基板３を用いて前記電極６よりもピッチが大きいエリアアレーバンプ電極５とすることができるため、電気特性を向上させることができる。例えば、ワイヤボンディング法を用いたＣＳＰに比べて高速信号処理化に不可欠なインダクタンスを本発明では１〜１．５ｎＨをおよそ０．１ｎＨに低減することができる。本発明ではワイヤボンディングを用いていないためワイヤボンディングのワイヤ長さに起因して発生するインダクタンス１〜１．５ｎＨが全く含まれないためである。
（２）ワイヤボンディング用の電極６をこの電極６よりも大きくかつピッチの広いエリアアレーバンプ電極５とすることにより、半導体装置１の実装時の接続信頼性を高めることができる。
（３）エリアアレーバンプ電極５が設けられる配線テープ基板３は半導体チップ２と同じ大きさでかつ半導体チップ２に一致して重なる構造となることから半導体装置１の小型化が図れる。
（４）エリアアレーバンプ電極５は、金ワイヤバンプ電極２０が配置された領域とは外れた領域に配置され、また。前記金ワイヤバンプ電極２０の弾性率は、前記テープ基材１０の弾性率および前記接着材４の弾性率よりも大きくなっている。従って、エリアアレーバンプ電極５が、金ワイヤバンプ電極２０と比較して弾性率の小さいテープ基材１０や硬化後の接着材４を介して、半導体チップ２の主面上に配置されることにより、実装基板３０に実装された際に、半導体チップ２と実装基板３０との熱膨張係数差によって生じる熱応力を、テープ基材１０や接着材４によって緩和させることができる。
（５）半導体チップ２の主面上に配置されるエリアアレーバンプ電極５と半導体チップ２との間には、弾性率の低い有機樹脂によって形成される層が、５０〜１００μｍまたはそれ以上の厚さで形成されていることから、実装基板３０と半導体チップ２の間に生じる熱応力が緩和される。
（６）ＡＣＦやＮＣＦなどの熱硬化性樹脂によって形成される接着材４の層の厚さを、５０μｍ以上形成しようとすると、熱硬化工程において生じる厚さの部分的なばらつきによって、その上に形成されるエリアアレーバンプ電極５の平坦度が低下するという問題を生じる。しかし、本発明によれば、接着材４の層の厚さは５０μｍ以下に抑えつつ、エリアアレーバンプ電極５と半導体チップ２との間にテープ基材１０を配置することによって、エリアアレーバンプ電極５と半導体チップ２との間の有機樹脂の層の厚さを稼ぐことができ、この結果、エリアアレーバンプ電極５の平坦度低下を抑止することができる。
（７）絶縁基材層は可撓性樹脂膜、即ち、テープ基材１０によって形成されかつその厚さも３０〜１００μｍ程度となっていることから、半導体装置１を実装基板３０に実装した後の応力が緩和され、実装の信頼性が高くなる。
（８）半導体装置１の小型化，軽量化，高速度化は通信機器分野、携帯機器分野では重要な要素である。半導体チップ２をフリップチップで実装し、かつＭＣＭとすることでさらに高機能化も達成できる。このＭＣＭにはＤＲＡＭ（Ｄｙｎａｍｉｃ  Ｒａｎｄｏｍ  Ａｃｃｅｓｓ  Ｍｅｍｏｒｙ），ＳＲＡＭ（Ｓｔａｔｉｃ  Ｒａｎｄｏｍ  Ａｃｃｅｓｓ  Ｍｅｍｏｒｙ）、フラッシュメモリ，ロジックＩＣさらには高周波ＩＣなどを一つの基板に実装し、高密度ＭＣＭを達成できる。
（実施形態２）
図１５は本発明の他の実施形態（実施形態２）である半導体装置を示す模式的断面図である。実施形態１では、半導体チップ２の主面に設けられる電極６は、半導体チップ２の縁に沿って配列される周辺電極配列構造であるが、本実施形態２では半導体チップ２の中央近傍の、入出力回路用半導体素子が配置された領域に沿って電極６が配列（中央電極配列構造）される半導体チップ２に接着材４を介して配線テープ基板３を重ねて貼り付け、さらに配線テープ基板３の所定箇所にエリアアレーバンプ電極５を取り付けた構造である。このような構成においても実施形態１と同様な効果を有する。
本実施形態２では、半導体チップ２の中央に沿って１列に電極６を配列したものについて説明したが、電極６を２列等複数列とした半導体チップ２との組み合わせも同様に適用でき同様の効果を有することができる。
（実施形態３）
図１６は本発明の他の実施形態（実施形態３）である半導体装置を示す模式的断面図である。本実施形態３では、配線テープ基板３の配線を多層に形成して、配線の引回し余裕度を大きくした例である。
即ち、実施形態１の半導体装置１において、テープ基材１０の表面に形成した配線１１上に所定パターンの絶縁性の層間絶縁膜４０を１層形成し、前記層間絶縁膜４０上に配線１１ａを形成し、前記層間絶縁膜４０上の配線１１ａを選択的に形成される前記ソルダレジスト１２で被うとともに、配線１１ａに電気的に接続するエリアアレーバンプ電極５を形成したものである。
半導体チップ２の電極６上に形成される金ワイヤバンプ電極２０に電気的に接続される配線１１とテープ基材１０の表面に形成されるエリアアレーバンプ電極５を層間絶縁膜４０の上下の配線１１ａ，１１によって導通させてなるものである。
本実施形態３では、さらに層間絶縁膜を多くして配線のさらなる多層化を図る構成としてもよい。この場合、各層間絶縁膜上に配線を形成し、最上層の層間絶縁膜上の配線を選択的に形成される前記ソルダレジストで被う構成にするとともに、半導体チップの電極上に形成される金ワイヤバンプ電極に電気的に接続される最下層の配線と前記テープ基材の表面に形成されるエリアアレーバンプ電極を層間絶縁膜の上下の配線によって導通させるものである。
また、配線テープ基板の半導体チップが固定される側の面寄りに少なくとも電源配線及びグランド配線を設ける構造とすれば電位の安定等を図ることができ電気特性の向上を図ることができる。さらに本実施形態３でも配線テープ基板に複数の半導体チップを固定することによってＭＣＭ化も図ることができる。
本実施形態３では、複数層の配線層を設けることで、エリアアレーバンプ電極５をさらに高密度に配列でき、半導体装置の多ピン化が可能になる。
一方、配線の多層化の手法としては、以下の手法も考えられる。即ち、１枚のテープ基材の表裏面にそれぞれ配線を形成する構造である。この場合、テープ基材の表裏面の配線はテープ基材に設けた貫通孔を通して導通する構造とする。また、テープ基材の表面の配線テープ基材に設けられるソルダレジストによって選択的に被われる。また、ソルダレジストに被われない部分がエリアアレーバンプ電極を設ける開口部となる。
この例でも、上記と同様に配線テープ基板の半導体チップが固定される側の面側に少なくとも電源配線及びグランド配線を設ける構造とすれば電位の安定等を図ることができ電気特性の向上を図ることができる。さらに、配線テープ基板に複数の半導体チップを固定することによってＭＣＭ化も図ることができる。
（実施形態４）
図１７は本発明の他の実施形態（実施形態４）である半導体装置を示す模式的断面図である。本実施形態１はエリアアレーバンプ電極５のピッチをさらに広くできる例である。
即ち、図１７に示すように、実施形態１の半導体装置１において、配線テープ基板３を半導体チップ２よりも大きく（大面積化）した例である。本実施形態４では、半導体チップ２の全周縁から配線テープ基板３の外周を突出させた構造である。
この例では、配線テープ基板３を広くできることから、エリアアレーバンプ電極５のピッチを実施形態１に比較して拡大することができる。従って、この半導体装置を実装する実装基板の電極ピッチを大きくできるので実装基板の製造コストの低減が図れる。
（実施形態５）
図１８は本発明の他の実施形態（実施形態５）であるエリアアレー電極と半導体チップの電極との結線状態を示す半導体装置の模式的平面図である。本実施形態５の半導体装置１では、配線基板（配線テープ基板）３の主面に設けられる複数の半田突起電極（エリアアレーバンプ電極）５のうち、少なくとも一つの半田突起電極５は、半導体素子（半導体チップ）２の主面に設けられる複数の電極６のうちの複数の電極６に接続され、この半田突起電極５は共通電極になっている。
共通電極になる半田突起電極５は、図１８に示すように、明瞭になるように点々を施して示してある。共通電極になる半田突起電極５は、図１８に示すように、中央に４個設けられている。従って、半田突起電極５の一部は共通電極となることから、半田突起電極５の数は半導体チップ２の電極６の数よりも少数にすることができる。共通電極になる半田突起電極５に配線１１を介して接続される電極６にも点々を施して示してある。
実施形態１等の半導体装置では、配線基板（配線テープ基板）３の片面のみに配線を形成するため、一般的に使用されている樹脂基板上に多層配線を有する構造に比較して、配線の自由度が小さくなる。そこで、本実施形態５では、半導体チップ２の複数の電極６に対して接続するバンプランドを設け、バンプランドの数をチップ上電極６に比較して少なくすることにより、配線テープ基板３上の配線を引き回すために有効なスペースをより多く確保し、単層配線構造でも、より多ピンの半導体チップとの接続を可能にしている。共通電極（共通配線）はグランド（ＧＮＤ）電位や電源電位を供給するための配線に適用する。
図１９は本実施形態５の変形例であるエリアアレー電極と半導体チップの電極との結線状態を示す半導体装置の模式的平面図である。共通配線はＧＮＤ電位や電源電位を供給するための配線に適用するのが有効であり、その場合には、図１９に示すように、共通の半田突起電極５と配線１１を介して接続される各電極６において、ハッチングを施して示すように配線１１の幅を広くし、共通配線と信号の入出力用の配線との間隔を調節することにより、配線のインピーダンスの調節など、配線特性を変更することができる。
（実施形態６）
図２０乃至図２２は本発明の他の実施形態（実施形態６）である半導体装置を製造する方法に係わる図であり、図２０は帯状の配線テープ基板（多連テープ）を用いて半導体装置を製造する方法を示す模式図である。
本実施形態６は、リール・トゥ・リール方式で半導体装置を製造する方法である。リール・トゥ・リール方式では、図２０に示すように、リール４５から半導体装置形成部を所定間隔に形成してなる帯状の配線テープ基板３（多連テープ）を解き出し、半導体装置形成部に対する半導体チップ２の搭載、半田突起電極５の形成等の組み立て加工を行い、巻き取りリール４６に巻き取る。この場合、カバーテープ用リール４８からカバーテープ４７を解き出して配線テープ基板３とカバーテープ４７との間に半導体チップ２を挟むようにして配線テープ基板３を巻き取りリール４６に巻き付けてもよい。これにより、製品の保護ができる。
多連テープ（配線テープ基板）の構造は実施形態１の配線基板（配線テープ基板）３と同じである。また、この場合、リール４５に巻き付けられている配線テープ基板３の主面には接着材４として既にテープ状のＮＣＦが貼り付けられている。
図２０では、組み立て加工ステーションとしては、配線テープ基板３（多連テープ）の移動方向に沿って、チップボンディング（チップマウント）ステーションＡ、ボール付けステーションＢ、ボールリフローステーションＣが配置されている。
チップマウントステーションＡでは、コレット５０の下端に真空吸引によって半導体チップ２を保持して、配線テープ基板３の所定製品形成部に配線テープ基板３を固定する。図２１は半導体チップを配線テープ基板に搭載する状態を示す拡大模式図である。ステージ５１上に支持される配線テープ基板３の製品形成部上にコレット５０で運んだ半導体チップ２を金ワイヤバンプ電極２０を配線テープ基板３に対面させた状態で下降させて配線テープ基板３に固定する。
即ち、図２１に示すように、ステージ５１上の配線テープ基板３の上面にはＮＣＦからなる熱硬化性の接着材４が貼り付けられている。コレット５０の下降によって半導体チップ２の下面の金ワイヤバンプ電極２０が配線テープ基板３の貫通孔（開口溝）１４内に入る。この際、金ワイヤバンプ電極２０の先端は接着材４を突き破り開口溝１４の底に位置するメッキ膜１５に接触する。ステージ５１に対するコレット５０の押し付けとステージ５１等による加熱によって金ワイヤバンプ電極２０はメッキ膜１５を介して配線１１に接続される。
また、この際の加熱加圧によって接着材４は熱硬化し、配線テープ基板３に半導体チップ２を確実に接着する。
配線テープ基板３の開口溝１４の底に露出する配線１１の接続部はその表面にＳｎメッキ膜またはＮｉ−Ａｕメッキ膜が設けられていることから、金ワイヤバンプ電極２０と接続部の接合はＡｕ−Ｓｎ接合（Ａｕ−Ｓｎ合金）またはＡｕ−Ａｕ接触となる。なお、接着材４としては、ＡＣＦも使用できることは実施形態１と同様である。
ボール付けステーションＢでは、ボール供給治具５５の平坦な主面に金属ボール５６をマトリックス状に複数保持する。この保持は、図示はしないが、ボール供給治具５５の主面に設けた真空吸引孔で真空吸着によって行われる。真空吸引孔は、配線テープ基板３の開口部１３に対応して設けられている。
図２２は金属ボール５６として半田ボールを真空吸着して保持し、その後配線テープ基板３に供給するボール供給治具５５の動作状況を説明する模式図である。ボール供給治具５５は、図２２に示すように、ボール供給治具５５の主面を下に向けた状態で、金属ボール５６を収容するボール供給箱５７上に矢印に示すように移動し、かつ所定高さまで降下する。この状態で真空吸引動作させ、真空吸引孔に金属ボール５６を真空吸着保持する。
つぎに、ボール供給治具５５は上昇した後、左横に移動し、再び所定高さまで降下し、フラックス槽５８内に収容されているフラックス液５９中にボール供給治具５５で保持している金属ボール５６にフラックス液を塗布する。
つぎに、ボール供給治具５５は再び所定高さ上昇した後、左横に移動してボール付けステーションＢに停止している配線テープ基板３（多連テープ）の真下で停止する。その後、ボール供給治具５５は軸６０を中心に１８０度反転して主面を上向きにする。つぎに、ボール供給治具５５は所定高さまで上昇して、主面に保持している金属ボール５６を配線テープ基板３の下面に供給する。配線テープ基板３の下面の開口部１３の底のメッキ膜１６上にフラックス液の接着力を利用して金属ボール５６を付着させる。付着させた後は真空吸引を停止させ、ボール供給治具５５を所定高さ降下させる。
配線テープ基板３の下面に付着された金属ボール５６は、次のボールリフローステーションＣで、上下に配置されたヒータ６１で一時的に加熱（リフロー）される。このリフローによって金属ボール５６は軟化溶融してメッキ膜１６が設けられた配線１１の表面に半田突起電極（エリアアレーバンプ電極）５として形成される。
半導体チップ２が取り付けられ、半田突起電極５が形成された配線テープ基板３は、カバーテープ４７と共に間欠的に巻き取りリール４６に巻き取られる。製品は巻き取りリール４６の状態で出荷され、ユーザにおいて配線テープ基板３が切断されて半導体装置１が取り外される。
このように、リール・トウ・リール方式で、半導体チップと配線テープ基板との電気的接続を行い、かつ半導体チップ主面の保護をするために樹脂で封止する場合には、ＮＣＦを用いる場合など、熱硬化性樹脂を介して熱圧着治具を用いて配線テープ基板上に半導体チップを搭載する手段を採用するのが望ましい。
配線テープ基板上に半導体チップを搭載する手段としては、ワイヤボンディング後にトランスファモールディングする場合と、半田バンプリフロー実装後にアンダーフィル封止する場合などが知られているが、いずれの手段においても、リール・トウ・リール方式によって行う別の工程との整合を取るのが困難になるという問題を生じる。
これに比較して、熱硬化性樹脂を用いて熱圧着する手段においては、例えばボール付け、ボールリフロー工程での工程時間や組み立て加工装置構成の整合がより容易に取れるだけでなく、接続不良の発生を防ぐことができるという利点もある。
（実施形態７）
図２３乃至図２５は本発明の他の実施形態（実施形態７）である半導体モジュール（マルチチップ・モジュール）に係わる図である。本実施形態７の半導体モジュール７０は、図２３の模式的断面図に示すように、絶縁性のモジュール基板７１を有している。このモジュール基板７１は、主面に複数の接続用電極７２を有し、裏面（図では下面）に複数の外部電極端子７３を有している。所定の外部電極端子７３と所定の接続用電極７２は、図示はしないが、モジュール基板７１の内部を貫通する導体で電気的に接続されている。外部電極端子７３はモジュール基板７１の裏面に設けられる配線７３ａと、この配線７３ａ上に形成されるバンプ電極７３ｂとからなり、ＢＧＡ型となっている。
モジュール基板７１の主面における接続用電極７２は、実施形態１で示す半導体装置１が搭載できるように半導体装置１の半田突起電極５の配列に対応してマトリックス状（エリアアレー状）に設けられている。このような一群の接続用電極７２は、必要に応じてモジュール基板７１の各所に設けられている。
また、一部の一群の接続用電極７２、換言するならば、マトリックス状配列の接続用電極の外側には枠状にワイヤボンディングパッドとなる接続用電極７２ａが設けられている。図２３では接続用電極７２ａは左側に配置されている。
接続用電極７２には半導体装置１の半田突起電極５がリフローによって固定（フエースダウン固定）され、半導体装置１はモジュール基板７１に搭載されている。また、左側の半導体装置１の上には図示しない接着材を介して半導体素子（半導体チップ）７５が固定されている。半導体チップ７５は、図２４に示すように、露出する面に電極７６を有している。そして、各電極７６とモジュール基板７１の主面の接続用電極７２ａは導電性のワイヤ７７で接続されている。
半導体チップ７５を固定接着材は導電性または非導電性のものでもよい。この際、導電性の接着材を使用した場合、半導体チップ７５を構成する基板がシリコンまたは化合物半導体である場合、半導体装置１の半導体チップ２を構成するシリコンからなる基板と等電位になる。従って、半導体チップ２や半導体チップ７５の回路構成によれば、両者は、例えば、ＧＮＤ電位として共通化できる場合もある。
図２４に示すように、モジュール基板７１の主面のワイヤ７７が接続される複数の接続用電極７２ａは半導体チップ７５の主面に設けられる複数の電極７６の最小ピッチ（ａ）よりも大きなピッチ（ｄ）になって、再配線構造になっている。
また、これは実施形態１で説明したように、複数の半田突起電極５は、半導体チップ２の電極６の最小ピッチよりも大きなピッチで複数行、列によって構成される格子状に配列されており、これも再配線構造になっている。これら再配線構造は半導体チップの搭載の容易化を促進することになる。
また、以下の構造的特徴は、実施形態１で説明してあるが、半導体装置１の絶縁基材層（テープ基材）１０の厚さと接着材４の厚さの和は５０〜１００μｍであり、半導体装置１の絶縁基材層の厚さは接着材４の厚さよりも厚くなり、半導体装置１の接着材４の厚さは５０μｍ以下となっている。また、半導体装置１の絶縁基材層の主面上には、配線１１の一部を覆う絶縁膜（ソルダレジスト）１２が形成されており、絶縁基材層１０の厚さは絶縁膜１２の厚さよりも厚くなっている。さらに、半導体装置１の金突起電極（金ワイヤバンプ電極）２０の弾性率は、絶縁基材層１０の弾性率および接着材４の弾性率よりも大きくなっている。そして、これら構造的特徴は、半導体モジュール７０においても半導体装置１と同様な効果を奏するものである。
また、モジュール基板７１の主面側には、トランスファモールドによる片面モールドによって絶縁性樹脂からなる封止体７９が形成されている。この封止体７９によって半導体装置１，半導体チップ７５，接続用電極７２，７２ａ及びワイヤ７７等は完全に被われる。
本実施形態７の半導体モジュール７０は、図２４に示すフローチャートに沿って製造される。図示はしないが、フローチャートに示すように、半導体チップ２を用意した後（Ｓ１０１）、半導体チップの電極部分に金ワイヤバンプ電極２０を形成し（Ｓ１０２）、配線テープ基板３に半導体チップ２を接合する（Ｓ１０３）。
つぎに、配線テープ基板３の所定箇所に金属ボール（はんだボール）を取り付け（Ｓ１０４）、その後半導体装置の単体のテストを行う（半導体単体テスト：Ｓ１０５）。
つぎに、モジュール基板７１を用意した後、このＭＣＭ基板に半導体装置１や半導体チップ７５を搭載し、かつ半導体チップ７５の電極７６と接続用電極７２ａをワイヤ７７で接続するとともに、片面モールドによって封止体７９を形成して半導体装置１，半導体チップ７５，接続用電極７２，７２ａ及びワイヤ７７等を被い、モジュール実装を終了する（Ｓ１０６）。さらに、このようにして製造された半導体モジュール７０のテストを行い（Ｓ１０７）、不良品を除去し、良品を出荷する。
ＭＣＭ（ＭＣＰ：マルチチップ・パッケージ）を形成するには、半導体チップを積層して実装するのがＭＣＰの小型化に有効である。半導体チップを積層する場合において、下層のチップは突起電極を介して接続するフエースダウンの形態を採用したほうが、下層チップを上向きに搭載してワイヤボンディングする場合に比較して、半導体チップの大きさや、半導体チップの主面上に形成された電極レイアウトに関する制約が小さく、より自由度の高いパッケージ形態となる。
そして、フエースダウン実装する半導体チップについては、本発明であるパッケージ形態に基づいて突起電極を形成するのが有効である。
つまり、フエースダウン実装する半導体チップとして、半導体チップ主面上の電極（ボンディングパッド）の上に直接突起電極を形成し、その突起電極を介してモジュール基板上に接続するベアーチップ実装法を採用した場合には、突起電極の間隔が半導体チップ上の電極の間隔に制約され、とかくその間隔が狭くなりがちのため、モジュール基板として微細配線を形成することが可能な寸法精度の高いものを準備しなければならず、部品単価の上昇によるモジュール価格の高騰という問題を生じる。
また、フエースダウン実装する半導体チップとして、ウエハレベルパッケージ品（ＷＰＰ品：ウエハプロセスパッケージ品）を採用する場合には、不良品チップに対して施すパッケージング工程の単価が、良品チップの単価に上乗せされるため、やはり、部品単価の上昇によるモジュール価格の高騰という問題を生じる。
これらに比較して、本発明における半導体モジュールは、その価格が低く抑えられる上に、特にパッケージ内に半導体チップを積層して実装する場合には、個々の半導体チップに求められる薄型化の要求についても同時に満足できるという利点を有する。
以上本発明者によってなされた発明を実施形態に基づき具体的に説明したが、本発明は上記実施形態に限定されるものではなく、その要旨を逸脱しない範囲で種々変更可能であることはいうまでもない。
本願において開示される発明のうち代表的なものによって得られる効果を簡単に説明すれば、下記のとおりである。
（１）ワイヤボンディング用電極を周縁に沿って配置した半導体チップを配線テープ基板を用いて前記電極よりもピッチが大きいエリアアレーバンプ電極とすることができるため、電気特性を向上させることができる。即ち、特に高速信号処理化に不可欠なインダクタンスをワイヤボンディング法の１〜１．５ｎＨをおよそ０．１ｎＨに低減することができる。
（２）ワイヤボンディング用の電極をこの電極よりも大きくかつピッチの広いエリアアレーバンプ電極とすることにより、半導体装置の実装時の接続信頼性を高めることができる。
（３）エリアアレーバンプ電極が設けられる配線テープ基板は半導体チップと同じ大きさでかつ半導体チップに一致して重なる構造となることから半導体装置の小型化が図れる。
（４）複数の異なった種類の半導体チップを同一配線テープ基板に取り付けることができ半導体装置のＭＣＭ化が達成できる。
（５）また、外部接続電極をエリアアレーにしてあるので、半導体装置を実装する基板の電極ピッチも大きくでき、従来のラミネート法による安価な絶縁性基板（有機基板）を使うことができる。
（６）さらに、リアルチップサイズの半導体装置であり、小型、軽量でかつフリップチップ実装できるため、高速信号伝達ができるため携帯機器、通信機器への利用が期待できる。
（７）格子状に配置したバンプ電極と、半導体チップとの間に応力緩和構造を有する半導体装置及びその製造方法を提供することができる。
（８）高速信号処理化，高機能化，高密度実装化，薄型化及び軽量化が図れる半導体モジュール（マルチチップ・モジュール）を提供することができる。
産業上の利用可能性
以上のように、本発明にかかる半導体装置は、電子機器の制御用やメモリー用の半導体装置として有用であり、特に高速信号処理化，高機能化，高密度実装化，薄型化及び軽量化が図れる半導体装置に適している。
【図面の簡単な説明】
図１は本発明の一実施形態（実施形態１）である半導体装置を示す模式的断面図である。
図２は本実施形態１の半導体装置の平面図である。
図３は本実施形態１の半導体装置の裏面図である。
図４は本実施形態１のエリアアレー電極と半導体チップの電極との結線状態を示す半導体装置の模式的平面図である。
図５は本実施形態１の半導体装置における半導体チップの模式的平面図である。
図６は本実施形態１の半導体装置における配線テープ基板の平面図である。
図７は前記配線テープ基板の模式的断面図である。
図８は前記配線テープ基板の裏面図である。
図９は本実施形態１の半導体装置の製造において電極上に金ワイヤバンプ電極を形成した半導体チップを示す模式的断面図である。
図１０は本実施形態１の半導体装置の製造において半導体チップ上に重ねられる接着材及び配線テープ基板を示す模式的断面図である。
図１１は本実施形態１の半導体装置の製造において半導体チップ上に接着材を介して配線テープ基板を接着する状態を示す模式的断面図である。
図１２は本実施形態１の半導体装置の製造において半導体チップ上に接着材を介して重ねて接着された配線テープ基板を示す模式的断面図である。
図１３は本実施形態１の半導体装置の製造において配線テープ基板にエリアアレーバンプ電極を固定した状態を示す断面図である。
図１４は本実施形態１の半導体装置が搭載された電子装置の一部を示す模式的断面図である。
図１５は本発明の他の実施形態（実施形態２）である半導体装置を示す模式的断面図である。
図１６は本発明の他の実施形態（実施形態３）である半導体装置を示す模式的断面図である。
図１７は本発明の他の実施形態（実施形態４）である半導体装置を示す模式的断面図である。
図１８は本発明の他の実施形態（実施形態５）であるエリアアレー電極と半導体チップの電極との結線状態を示す半導体装置の模式的平面図である。
図１９は本実施形態５の変形例であるエリアアレー電極と半導体チップの電極との結線状態を示す半導体装置の模式的平面図である。
図２０は本発明の他の実施形態（実施形態６）である多連テープを用いて半導体装置を製造する方法を示す模式図である。
図２１は本実施形態６の半導体装置の製造において半導体チップを配線テープ基板に搭載する状態を示す拡大模式図である。
図２２は本実施形態６の半導体装置の製造において半田ボールを供給して半田突起電極を形成する方法を示す模式図である。
図２３は本発明の他の実施形態（実施形態７）であるマルチチップ・モジュールを示す模式的断面図である。
図２４は本実施形態７のマルチチップ・モジュールにおける半導体素子の電極配列とマルチチップ・モジュール基板のワイヤボンディングパッドの配列を示す模式図である。
図２５は本実施形態６のマルチチップ・モジュールの製造方法を示すフローチャートである。
【図１】
2003012863.tif 000003
【図２】
2003012863.tif 000004
【図３】
2003012863.tif 000005
【図４】
2003012863.tif 000006
【図５】
2003012863.tif 000007
【図６】
2003012863.tif 000008
【図７】
2003012863.tif 000009
【図８】
2003012863.tif 000010
【図９】
2003012863.tif 000011
【図１０】
2003012863.tif 000012
【図１１】
2003012863.tif 000013
【図１２】
2003012863.tif 000014
【図１３】
2003012863.tif 000015
【図１４】
2003012863.tif 000016
【図１５】
2003012863.tif 000017
【図１６】
2003012863.tif 000018
【図１７】
2003012863.tif 000019
【図１８】
2003012863.tif 000020
【図１９】
2003012863.tif 000021
【図２０】
2003012863.tif 000022
【図２１】
2003012863.tif 000023
【図２２】
2003012863.tif 000024
【図２３】
2003012863.tif 000025
【図２４】
2003012863.tif 000026
【図２５】
2003012863.tif 000027
【手続補正書】
【提出日】平成14年9月26日(2002.9.26)
【手続補正１】
【補正対象書類名】明細書
【補正対象項目名】特許請求の範囲
【補正方法】変更
【補正の内容】
【特許請求の範囲】
【請求項１】
削除
【請求項２】
削除
【請求項３】
削除
【請求項４】
削除
【請求項５】
削除
【請求項６】
削除
【請求項７】
削除
【請求項８】
削除
【請求項９】
削除
【請求項１０】
削除
【請求項１１】
削除
【請求項１２】
削除
【請求項１３】
削除
【請求項１４】
主面と、前記主面上に形成された複数の半導体素子、及び複数の電極を有する半導体チップを準備する工程と、
主面及び裏面を有するフレキシブルなフィルム状の絶縁基材層と、前記絶縁基材層の主面上に形成された複数の配線と、前記絶縁基材層に形成された貫通孔とを有する配線基板を準備する工程と、
前記半導体チップの各電極上に金突起電極を形成する工程と、
前記絶縁基材層の裏面と前記半導体チップの主面との間に接着材を介して、前記配線基板を前記半導体チップの主面上に配置する工程と、
前記配線基板を配置する工程の後に、前記配線基板に圧力を加えて前記金突起電極と前記配線とを前記貫通孔の内部で接触させ、かつ前記接着材に熱を加えて硬化させる工程と、
前記配線基板の主面上に、複数の半田突起電極を、各複数の配線に接続して形成する工程とを有しており、
前記複数の半田突起電極は、前記半導体チップの電極の最小ピッチよりも大きなピッチで複数行、列によって構成される格子状に配列され、
前記半田突起電極のそれぞれは、前記半導体チップの主面上に、前記接着材と前記絶縁基材層を介して配置されることを特徴とする半導体装置の製造方法。
【請求項１５】
前記接着材は熱硬化性樹脂であることを特徴とする請求の範囲第１４項記載の半導体装置の製造方法。
【請求項１６】
前記金突起電極の弾性率は、前記絶縁基材層の弾性率および前記接着材の弾性率よりも大きいことを特徴とする請求の範囲第１４項記載の半導体装置の製造方法。
【請求項１７】
削除
【請求項１８】
削除
【請求項１９】
削除
【請求項２０】
削除
【請求項２１】
削除
【請求項２２】
削除
【請求項２３】
削除
【請求項２４】
主面に複数の接続用電極を有し、裏面に複数の外部電極端子を有し、前記所定の外部電極端子と前記所定の接続用電極が内部を貫通する導体で電気的に接続されてなる絶縁性のモジュール基板と、
前記モジュール基板の主面に搭載される一つ以上の半導体装置と、
少なくとも一つの前記半導体装置上に搭載され、露出する主面に複数の電極を有する半導体素子と、
前記半導体素子の所定の電極と前記モジュール基板の主面の所定の接続用電極は導電性のワイヤで接続され、
前記モジュール基板の主面の前記ワイヤが接続される複数の前記接続用電極は前記半導体素子の主面に設けられる複数の電極の最小ピッチよりも大きなピッチになり、
前記半導体装置は、
主面と、前記主面上に形成された複数の半導体素子、及び複数の電極を有する半導体チップと、
前記半導体チップの各電極上に形成された金突起電極と、
主面及び裏面を有する絶縁基材層と、前記絶縁基材層の主面上に形成された複数の配線と、前記絶縁基材層に形成された貫通孔とを有する配線基板と、
前記配線基板の主面上に、それぞれ各複数の配線に接続して形成された複数の半田突起電極とを有し、
前記配線基板は、前記絶縁基材層の裏面を前記半導体チップの主面に対向させて配置されており、
前記絶縁基材層の裏面と前記半導体チップの主面は、接着材を介して接着されており、
前記金突起電極のそれぞれは、前記貫通孔の内部で前記配線基板の配線と接続しており、
前記複数の半田突起電極は、前記半導体チップの電極の最小ピッチよりも大きなピッチで複数行、列によって構成される格子状に配列されており、
前記半田突起電極のそれぞれは、前記半導体チップの主面上に、前記接着材と前記絶縁基材層を介して配置されている構成になり、
前記半田突起電極は前記モジュール基板の主面の接続用電極に接続されていることを特徴とする半導体モジュール。
【請求項２５】
前記半導体装置の前記絶縁基材層厚さと前記接着材の厚さの和は５０〜１００μｍであることを特徴とする請求の範囲第２４項記載の半導体モジュール。
【請求項２６】
前記半導体装置の前記絶縁基材層の厚さは前記接着材の厚さよりも厚くなっていることを特徴とする請求の範囲第２４項記載の半導体装置。
【請求項２７】
前記半導体装置の前記接着材の厚さは５０μｍ以下となっていることを特徴とする請求の範囲第２４項記載の半導体モジュール。
【請求項２８】
前記半導体装置の前記絶縁基材層の主面上には、前記配線の一部を覆う絶縁膜が形成されており、前記絶縁基材層の厚さは前記絶縁膜の厚さよりも厚くなっていることを特徴とする請求の範囲第２４項記載の半導体装置。
【請求項２９】
前記半導体装置の前記金突起電極の弾性率は、前記絶縁基材層の弾性率および前記接着材の弾性率よりも大きいことを特徴とする請求の範囲第２４項記載の半導体モジュール。
【国際調査報告】
2003012863.tif 000028
2003012863.tif 000029
2003012863.tif 000030
2003012863.tif 000031